(57)【要約】【課題】垂直方向と水平方向で放射角が大きく異なる半導体発光素子のビーム形状を整形し、かつ見かけの発光点位置を一致させることにより、光ファイバへの結合効率を高める。【解決手段】  半導体発光素子２から出射した光の垂直放射成分を屈折させてビーム形状を補正する円柱型レンズ４を備えるとともに、半導体発光素子２と円柱型レンズ４の間にスラブ型光導波路３を備える。半導体発光素子２から出射した光の垂直放射成分の放射角を円柱型レンズ４で変換することで見かけ上の発光点位置が移動するが、スラブ型光導波路３を備えることで発光点位置の移動が相殺され、垂直放射成分と水平放射成分の見かけ上の発光点位置が一致し、かつ、垂直放射成分と水平放射成分の放射角が一致したビームが得られる。【選択図】        図１
2005164665.tif 000002
【特許請求の範囲】
【請求項１】
一の方向とこの一の方向と交する他の方向で光の放射角が異なる発光手段を備えた発光モジュールにおいて、
前記発光手段から出射される光の一の方向の放射成分を導波する光導波手段と、
前記発光手段から出射され、前記光導波手段を通過した光の一の方向の放射成分を屈折させる屈折手段と
を備えたことを特徴とする発光モジュール。
【請求項２】
前記光導波手段は、前記発光手段から出射される光の他の方向の放射成分に沿った平板状のコアを備えたスラブ型光導波路である
ことを特徴とする請求項１記載の発光モジュール。
【請求項３】
前記屈折手段は、前記発光手段から出射される光の他の方向の放射成分に沿った方向に延在する円柱型レンズである
ことを特徴とする請求項１記載の発光モジュール。
【請求項４】
前記光導波手段は、前記発光手段から出射された光の垂直放射成分を導波し、前記屈折手段は、前記導波された垂直放射成分の光を屈折させる
ことを特徴とする請求項１記載の発光モジュール。
【請求項５】
前記発光手段はレーザダイオードである
ことを特徴とする請求項１記載の発光モジュール。
【発明の詳細な説明】
【技術分野】
【０００１】
本発明は、放射角の異方性を有する発光手段を備えた発光モジュールに関する。詳しくは、放射角を補正する屈折手段に加えて、光導波手段を備えて見かけ上の発光点位置を一致させることで、簡単な構成で光ファイバ等との結合効率を高めたものである。
【背景技術】
【０００２】
半導体発光素子であるレーザダイオードから出射されるビームは、ビームを出射する活性層に垂直な方向（一の方向）と水平な方向（他の方向）で広がり角（放射角）が異なり、ビームの断面形状は縦長の楕円形となる。
【０００３】
このように半導体発光素子から出射する光の断面形状が楕円形であると、レンズで絞ったビーム形状も楕円形となる。このため、断面形状が円形のコアを有する光ファイバに対する結合効率が悪い。
【０００４】
このため、半導体発光素子から出射される光の垂直放射成分の放射角をシリンドリカルレンズを用いて調整し、ビーム形状を整形する技術が開示されている（例えば、特許文献１参照。）。
【０００５】
また、レンズの表面と裏面で異なる形状のシリンドリカルレンズ部を構成し、ビーム形状を補正するとともに、半導体発光素子から出射される光の垂直放射成分と水平放射成分の見かけ上の発光点位置を一致させる技術が開示されている（例えば、特許文献２参照。）。
【０００６】
【特許文献１】特開平１１−３３７８６６号公報
【特許文献２】特開２００１−１８８１５１号公報
【発明の開示】
【発明が解決しようとする課題】
【０００７】
しかしながら、上述した特許文献１に開示された技術では、半導体発光素子から出射される光の垂直放射成分の見かけ上の発光点位置が、水平放射成分の発光点位置とずれてしまうという問題があった。
【０００８】
また、特許文献２に開示された技術では、半導体発光素子から出射された光の水平放射成分と垂直放射成分の放射角を一致させ、かつ、水平放射成分と垂直放射成分で見かけ上の発光点の位置を一致させるという２つの機能を１つのレンズで実現しているため、レンズの両面の形状が複雑であり、製造が困難であるという問題があった。
【０００９】
本発明は、このような課題を解決するためになされたもので、放射角の異方性を有する半導体発光素子から出射された光を簡単な構成で整形し、かつ見かけの発光点を一致させることで、光ファイバへの結合効率を高めることができる発光モジュールを提供することを目的とする。
【課題を解決するための手段】
【００１０】
上述した課題を解決するため、本発明に係る発光モジュールは、一の方向とこの一の方向と交する他の方向で光の放射角が異なる発光手段を備えた発光モジュールにおいて、発光手段から出射される光の一の方向の放射成分を導波する光導波手段と、発光手段から出射され、光導波手段を通過した光の一の方向の放射成分を屈折させる屈折手段とを備えたものである。
【００１１】
本発明に係る発光モジュールによると、放射角の異方性を有する発光手段から出射された光は光導波手段に入射する。発光手段から出射された光の他の方向の放射成分に対しては光導波手段は導波機能はなく、光の進行方向に従って光は広がる。
【００１２】
これに対して、発光手段から出射された光の一の方向の放射成分には光導波手段は導波する機能があり、光は光導波手段で規定された幅で伝搬する。そして、光導波手段から出射した光は屈折手段に入射し、一の方向に広がる光の放射角を他の方向の光の放射角に近づける。
【００１３】
発光手段から出射された光の一の方向の放射成分の見かけ上の発光点位置は、放射角を変換することで光軸に沿って移動するが、光導波手段によって相殺され、他の方向の放射成分の発光点位置と一致する。
【発明の効果】
【００１４】
本発明では、屈折手段を備えることで、発光手段から出射した光の一の方向の放射成分の放射角と他の方向の放射成分の放射角を一致させることができる。また、発光手段と屈折手段の間に光導波手段を備えることで、発光手段から出射した光の一の方向の放射成分と他の方向の放射成分の見かけ上の発光点の位置を一致させることができる。これにより、簡単な構造で光ファイバ等に高効率で結合することができる。
【発明を実施するための最良の形態】
【００１５】
以下、図面を参照して本発明の発光モジュールの実施の形態について説明する。図１は本実施の形態の発光モジュールの構成例を示す斜視図である。本実施の形態の発光モジュール１は、半導体発光素子２とスラブ型光導波路３と円柱型レンズ４を備える。半導体発光素子２は発光手段の一例で、へき開面から出射する一般的なレーザダイオード（ＬＤ）である。
【００１６】
スラブ型光導波路３は光導波手段の一例で、半導体発光素子２から出射される光の水平放射成分と平行な平板状のコア３ａと、コア３ａを挟むクラッド３ｂを備える。スラブ型光導波路３は入射端面３ｃが半導体発光素子２と対向するように配置され、半導体発光素子２から出射された光の垂直放射成分を導波する機能を有する。
【００１７】
円柱型レンズ４は屈折手段の一例で、半導体発光素子２から出射された光の垂直放射成分に対して直交する方向に延在する。円柱型レンズ４は円周面がスラブ型光導波路３の出射端面３ｄと対向するように配置され、半導体発光素子２から出射された光の垂直方向成分を屈折する機能を有する。
【００１８】
半導体発光素子２、スラブ型光導波路３および円柱型レンズ４は、光軸を一致させて基板５等に実装され、発光モジュール１が構成される。なお、図示しないがパッケージに収容された形態でも良い。
【００１９】
図２は本実施の形態の発光モジュールの動作例を示す説明図で、図２（ａ）は半導体発光素子２から出射される光の垂直放射成分の光路を示し、図２（ｂ）は半導体発光素子２から出射される光の水平放射成分の光路を示す。
【００２０】
まず、発光モジュール１の各構成の寸法等について説明すると、半導体発光素子２の活性層のストライプ幅は１００μｍ、垂直放射角θｖは３０度、水平放射角θｈは９度である。スラブ型光導波路３のコア３ａは、屈折率１．５、厚さ３０μｍである。また、スラブ型光導波路３は光の進行方向に対して２．４ｍｍの長さである。そして、スラブ型光導波路３は半導体発光素子２と約２０μｍの距離を設けてバットカップリングされる。
【００２１】
円柱型レンズ４は例えばＢＫ７と呼ばれる一般的なガラス材を用いて構成され、直径は１ｍｍである。そして、円柱型レンズ４とスラブ型光導波路３は３０μｍの距離を設けて配置される。
【００２２】
上述した構成の発光モジュール１において半導体発光素子２とスラブ型光導波路３および円柱型レンズ４は光軸を一致させて実装され、半導体発光素子２から出射した光がスラブ型光導波路３のコア３ａに入射し、スラブ型光導波路３のコア３ａから出射した光が円柱型レンズ４に入射する構成である。
【００２３】
次に発光モジュール１の動作を説明すると、半導体発光素子２から出射した光は、スラブ型光導波路３のコア３ａに入射する。スラブ型光導波路３は、半導体発光素子２から出射した光の水平放射成分には導波機能はなく、図２（ｂ）に示すように、半導体発光素子２によってあらかじめ決まっている水平放射角θｈ（本例では９度）に従い、光の進行方向に従ってビームは広がる。
【００２４】
スラブ型光導波路３は、半導体発光素子２から出射した光の垂直放射成分には導波機能があり、図２（ａ）に示すように、半導体発光素子２から出射した光の垂直放射成分はコア３ａ内で全反射しながら進行する。これにより、垂直方向のビーム幅はコア３ａの厚さによって規定され、スラブ型光導波路３の出射端面３ｄでは、光ビームは垂直方向に３０μｍ幅、放射角度３０度の形状となる。
【００２５】
スラブ型光導波路３から出射した光は円柱状レンズ４に入射する。円柱型レンズ４は、半導体発光素子２から出射してスラブ型光導波路３を通過した光の水平放射成分に対しては、光路中に平板ガラスが存在することと同等で、図２（ｂ）に示すように、水平放射角θｈに変化は生じない。
【００２６】
円柱型レンズ４は、半導体発光素子２から出射してスラブ型光導波路３を通過した光の垂直放射成分を屈折させる機能があり、図２（ａ）に示すように、垂直放射角θｖを水平放射角θｈに近づける。本例では、半導体発光素子２において３０度の垂直放射角θｖが、円柱型レンズ４を通過することで８．７度となった。
【００２７】
半導体発光素子２から出射した光の垂直放射成分の見かけ上の発光点位置Ｐｖは、放射角を変換することで光軸に沿って移動するが、本例の構成ではスラブ型光導波路３によって相殺され、水平放射成分の発光点位置Ｐｈと一致する。
【００２８】
本例では、見かけ上の発光点位置Ｐｖ，Ｐｈは、垂直放射成分および水平放射成分ともに円柱型レンズ４の出射面から半導体発光素子２側に２．３ｍｍ入り込んだ位置となった。また、発光点形状は水平方向の直径が１００μｍ、垂直方向の直径が１０２μｍとほぼ円形となった。
【００２９】
図３は本実施の形態の発光モジュールの使用例を示す説明図である。上述した発光モジュール１から出射した光を平行光にするコリメートレンズ６と、コリメートレンズ６を通過した光を集光するフォーカスレンズ７を備え、フォーカスレンズ７の焦点位置に合わせて光ファイバ８を接続する。
【００３０】
光ファイバ８としてコアの直径が６２．５μｍ、クラッドの直径が１２５μｍのＧＩ（Graded Index）型光ファイバを用い、発光モジュール１から出射した光をこの光ファイバ８に入射したところ、８０％の結合効率が得られた。なお、光ファイバとの結合効率は以下の（１）式により求められる。
（光ファイバ出射強度／半導体発光素子出射強度）×１００・・・（１）
【００３１】
本実施の形態の発光モジュール１では、円柱型レンズ４を備えることで水平放射の放射角θｈと垂直放射の放射角θｖを一致させることができるとともに、半導体発光素子２と円柱型レンズ４の間にスラブ型光導波路３を備えることで水平放射と垂直放射の見かけ上の発光点の位置を一致させることができる。
【００３２】
このように、本実施の形態の発光モジュール１では、水平放射角θｈと垂直放射角θｖ、および水平放射成分と垂直放射成分の見かけの発光点位置を簡単な構成で一致させて、光ファイバ等に高効率で結合することができる。
【産業上の利用可能性】
【００３３】
本発明は、発光素子としてレーザを用いて光通信を行う発光モジュールに適用して、光ファイバとの結合効率を高めることができるものである。
【図面の簡単な説明】
【００３４】
【図１】本実施の形態の発光モジュールの構成例を示す斜視図である。
【図２】本実施の形態の発光モジュールの動作例を示す説明図で、図２（ａ）は垂直放射成分の光路を示し、図２（ｂ）は水平放射成分θｈの光路を示す。
【図３】本実施の形態の発光モジュールの使用例を示す説明図である。
【符号の説明】
【００３５】
１・・・発光モジュール、２・・・半導体発光素子、３・・・スラブ型光導波路、３ａ・・・コア、３ｂ・・・クラッド、３ｃ・・・入射端面、３ｄ・・・出射端面、４・・・円柱型レンズ、５・・・基板、６・・・コリメートレンズ、７・・・フォーカスレンズ、８・・・光ファイバ
【図１】
2005164665.tif 000003
【図２】
2005164665.tif 000004
【図３】
2005164665.tif 000005